【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
工具本体（２２）と、該工具本体のインサートポケット（２８）に締め具（２６）によって固定される切削インサート（２４）とを備える切削工具（２０）であって、
該インサートポケット（２８）は、基壁（３０）と、該基壁（３０）から概して直角に延在する第一側壁（３２）及び第二側壁（３４）とを備え、ポケット貫通孔（５０）が該工具本体（２２）の該基壁（３０）から周囲壁（３６）に延びていて、
該切削インサート（２４）は、切削刃（６６）が設けられている少なくとも一つの刃部（６４）と、円筒形のインサート貫通孔壁（８６）と該インサート貫通孔壁（８６）から径方向に内側に突き出ている円周に離隔された少なくとも二つの支持翼（８８）とを有するインサート貫通孔（８２）が設けられた支持部（８０）とを備え、各支持翼（８８）は所与の形状を有する傾斜している支持面（９２）を有し、該支持翼（８８）は支持翼ギャップ（９０）によって引き離されていて、
該締め具（２６）は、前部分（１０２）と、後部分（１０４）と、そしてそれらの間の概して円筒形の中間部分（１０６）とを有していて、長手方向軸（Ａ）が該前部分（１０２）と該後部分（１０４）とを貫いて伸びていて、該前部分（１０２）には円周に離隔された少なくとも二つの締付翼（１１８）が設けられていて、各締付翼（１１８）は該支持面（９２）の所与の形状に対応する形状を有していて、概して後方へ向いて傾斜している締付面（１２２）を有し、該締付翼（１１８）は締付翼ギャップ（１２０）によって引き離されていて、該締め具（２６）は締付位置と締付解除位置との間で該長手方向軸（Ａ）周りに回転可能であり、該締付位置において、各締付面（１２２）が、対応する支持面（９２）の上に横たわった状態で、該締め具（２６）の該前部分（１０２）は、該インサート貫通孔（８２）に配置される切削工具（２０）であって、
各締付翼（１１８）の該締付面（１２２）は、雄ネジのネジ山の所与の螺旋上に存する螺旋形であり、各支持翼（８８）の該支持面（９２）は、対応する雌ネジのネジ山の螺旋上に存する螺旋形であり、
該締め具（２６）は、該ポケット貫通孔（５０）で、該締付解除位置から引っ込められた位置まで、直線的に移動可能であり、該引っ込められた位置において、該締め具（２６）の該前部分（１０２）は該ポケット貫通孔（５０）に配置され、該インサート貫通孔（８２）には配置されず、該切削インサート（２４）は該インサートポケット（２８）から取り外し可能であることを特徴とする切削工具（２０）。
【請求項２】
該締付解除位置において、各締付面（１２２）が所与の支持翼ギャップ（９０）に向かい合って配置され、そして各支持面（９２）が所与の締付翼ギャップ（１２０）に向かい合って配置された状態で、該締め具（２６）の該前部分（１０２）は、該インサート貫通孔（８２）に配置されることを特徴とする請求項１に記載の切削工具（２０）。
【請求項３】
該ポケット貫通孔（５０）には、該ポケット貫通孔からの該締め具（２６）の完全な引き抜きを防止する障害物が提供されることを特徴とする請求項１に記載の切削工具（２０）。
【請求項４】
該円筒形の中間部分（１０６）には、前端部（１１０）と後端部（１１２）を有し、長手方向に延びる凹部（１０８）が設けられ、該凹部（１０８）は該前端部（１１０）でリップ（１１４）によって制約され、該後端部（１１２）でネック（１１６）に開き、該円筒形の中間部分（１０６）は第一直径（Ｄ１）を有し、該ネック（１１６）は第二直径（Ｄ２）を有し、該第二直径（Ｄ２）は該第一直径（Ｄ１）よりも小さく、該障害物は該凹部（１０８）に配置され、それ故、該ポケット貫通孔（５０）からの該締め具（２６）の完全な引き抜きは、該障害物に係合する該リップ（１１４）によって防止され、該ポケット貫通孔（５０）において該締め具（２６）の往復運動を許容することを特徴とする請求項３に記載の切削工具（２０）。
【請求項５】
該障害物は、ピン（５４）の一部分が該ポケット貫通孔（５０）へ突出しながら、ピン穴（５６）に配置される該ピン（５４）であることを特徴とする請求項４に記載の切削工具（２０）。
【請求項６】
該締付位置と該締付解除位置の両方の位置において、該ポケット貫通孔（５０）へ突出している該ピン（５４）の一部分は、該締め具（２６）の該ネック（１１６）に配置されることを特徴とする請求項５に記載の切削工具（２０）。
【請求項７】
該引っ込められた位置において、該ポケット貫通孔へ突出している該ピンの一部分は、該凹部に配置されることを特徴とする請求項５に記載の切削工具（２０）。
【請求項８】
該締付解除位置において、該切削インサート（２４）は、該インサートポケット（２８）から取り外し可能であることを特徴とする請求項１に記載の切削工具（２０）。
【請求項９】
該締め具（２６）には、該円筒形の部分（１０６）において環状溝（１３０）から部分的に突出するＯ−リング（１２８）が設けられることを特徴とする請求項１に記載の切削工具（２０）。
【請求項１０】
該締め具（２６）の該後部分（１０４）には、前方に向かってテーパになっている円錐形の頭部（１２４）が設けられ、該頭部（１２４）は該ポケット貫通孔（５０）における対応する円錐形の皿穴（５２）に受け入れ可能にされることを特徴とする請求項１に記載の切削工具（２０）。
【請求項１１】
該締め具（２６）の該頭部には、該締付位置や該締付解除位置に又はから、該締め具（２６）を回転させるためのキー（１４６）を受け入れるソケット（１４４）が設けられることを特徴とする請求項１に記載の切削工具（２０）。
【請求項１２】
該ソケット（１４４）はアレンヘッドソケット用であり、該キー（１４６）はアレンタイプキーであることを特徴とする請求項１１に記載の切削工具（２０）。
【請求項１３】
該締付位置や該締付解除位置に又はから、該締め具（２６）を回転させるために、該締付翼ギャップ（１２０）に挿入するための少なくとも二つの突起（１５０）を有するキーが提供されることを特徴とする請求項１に記載の切削工具（２０）。
【手続補正２】
【補正対象書類名】明細書
【補正対象項目名】０００５
【補正方法】変更
【補正の内容】
【０００５】
本発明に従って、切削工具が提供され、該切削工具は、工具本体と、該工具本体のインサートポケットに締め具によって固定される切削インサートとを備える切削工具であって、該インサートポケットは、基壁と、該基壁から概して直角に延在する第一側壁及び第二側壁とを備え、ポケット貫通孔が該工具本体の該基壁から周囲壁に延びていて、該切削インサートは、切削刃が設けられている少なくとも一つの刃部と、円筒形のインサート貫通孔壁と該インサート貫通孔壁から径方向に内側に突き出ている円周に離隔された少なくとも二つの支持翼とを有するインサート貫通孔が設けられた支持部とを備え、各支持翼は所与の形状を有する傾斜している支持面を有し、該支持翼は支持翼ギャップによって引き離されていて、該締め具は、前部分と、後部分と、そしてそれらの間の概して円筒形の中間部分とを有していて、長手方向軸が該前部分と該後部分とを貫いて伸びていて、該前部分には円周に離隔された少なくとも二つの締付翼が設けられていて、各締付翼は該支持面の所与の形状に対応する形状を有していて、概して後方へ向いて傾斜している締付面を有し、該締付翼は締付翼ギャップによって引き離されていて、該締め具は締付位置と締付解除位置との間で該長手方向軸周りに回転可能であり、該締付位置において、各締付面が、対応する支持面の上に横たわった状態で、該締め具の該前部分は、該インサート貫通孔に配置されることを特徴とする。